(57)【要約】【課題】簡単かつ確実に情報提供装置の利用者を特定し、リコメンドサービスを提供することができる。【解決手段】本発明による情報提供装置は、ユーザ端末とＮＦＣ規格に準拠した近距離無線通信を行い、前記ユーザ端末から前記ユーザ端末を識別する識別情報を受信するＮＦＣ通信部と、前記ユーザ端末の識別情報と前記ユーザ端末の利用履歴とを対応して記憶する履歴保存部と、前記受信した識別情報に対応して前記履歴保存部に記憶されている利用履歴に基づいてリコメンド情報を作成して出力する制御部と、を有する。【選択図】図１
2014175897.tif 000002
【特許請求の範囲】
【請求項１】
ユーザ端末とＮＦＣ規格に準拠した近距離無線通信を行い、前記ユーザ端末から前記ユーザ端末を識別する識別情報を受信するＮＦＣ通信部と、
前記ユーザ端末の識別情報と前記ユーザ端末の利用履歴とを対応して記憶する履歴保存部と、
前記受信した識別情報に対応して前記履歴保存部に記憶されている利用履歴に基づいてリコメンド情報を作成して出力する制御部と、を有することを特徴とする情報提供装置。
【請求項２】
請求項１に記載の情報提供装置において、
前記ＮＦＣ通信部は、前記ユーザ端末から前記利用履歴を受信し、
前記履歴保存部は、前記受信した利用履歴を記憶することを特徴とする情報提供装置。
【請求項３】
請求項１または２に記載の情報提供装置において、
前記ＮＦＣ通信部は、複数の前記ユーザ端末から複数の前記識別情報を受信し、
前記制御部は、前記受信した複数の識別情報のそれぞれに対応して前記履歴保存部に記憶されている利用履歴に基づいてリコメンド情報を作成して出力することを特徴とする情報提供装置。
【請求項４】
請求項１から３のいずれか１項に記載の情報提供装置において、
前記ＮＦＣ通信部は、前記識別情報を受信し、
前記制御部は、すでに、前記受信した識別情報に対応して前記履歴保存部に記憶されている利用履歴に基づいてリコメンド情報を作成して出力している場合には、前記リコメンド情報の出力を停止することを特徴とする情報提供装置。
【請求項５】
ユーザ端末と、前記ユーザ端末とＮＦＣ通信を行う情報提供装置と、を備える情報提供システムであって、
前記ユーザ端末は、
前記情報提供装置とＮＦＣ規格に準拠した近距離無線通信を行う第１のＮＦＣ通信部と、
前記ユーザ端末を識別する識別情報と、前記ユーザ端末の利用履歴とを保存する端末データ保存部と、を有し、
前記情報提供装置は、
前記ユーザ端末とＮＦＣ規格に準拠した近距離無線通信を行い、前記ユーザ端末から前記識別情報を受信する第２のＮＦＣ通信部と、
前記ユーザ端末の識別情報と前記ユーザ端末の利用履歴とを対応して記憶する履歴保存部と、
前記受信した識別情報に対応して前記履歴保存部に記憶されている利用履歴に基づいてリコメンド情報を作成して出力する制御部と、を有することを特徴とする情報提供システム。
【請求項６】
ユーザ端末とＮＦＣ規格に準拠した近距離無線通信を行い、前記ユーザ端末から前記ユーザ端末を識別する識別情報を受信するＮＦＣ通信部と、前記ユーザ端末を識別する識別情報と前記ユーザ端末の利用履歴とを対応して記憶する履歴保存部と、を有する情報提供装置の制御方法であって、
前記受信した識別情報に対応して前記履歴保存部に記憶されている利用履歴に基づいてリコメンド情報を作成して出力することを特徴とする情報提供装置の制御方法。
【請求項７】
利用履歴に基づいてリコメンド情報を作成して出力する情報提供装置と通信可能なユーザ端末であって、
前記情報提供装置とＮＦＣ規格に準拠した近距離無線通信を行うＮＦＣ通信部と、
前記ユーザ端末を識別する識別情報と前記ユーザ端末の利用履歴とを保存する端末データ保存部と、を有し、
前記端末データ保存部は、前記ＮＦＣ通信部を介して、前記識別情報と、前記利用履歴と、を前記情報提供装置に送信することを特徴とするユーザ端末。
【発明の詳細な説明】
【技術分野】
【０００１】
本発明は、情報提供装置とその制御方法、情報提供システム、および、ユーザ端末に関する。
【背景技術】
【０００２】
近年、利用者によるサービスなどの利用履歴に基づいて利用者の嗜好を推測し、推測した嗜好に応じた商品やサービスを示すリコメンド情報を提供するリコメンド（推奨）サービスが、様々な分野において提供されている。
【０００３】
上記のようなリコメンドサービスは、例えば、家庭に設置され、放送信号を受信し、受信した放送信号に示されるコンテンツを利用者に視聴させるセットトップボックス（ＳＴＢ：Ｓｅｔ  Ｔｏｐ  Ｂｏｘ）において提供されている。リコメンドサービスを提供する機能を備えたＳＴＢによれば、利用者のコンテンツの視聴履歴に基づいてリコメンド情報を作成し、利用者に応じたリコメンド情報を利用者に提供することができる。
【０００４】
リコメンドサービスにおいては、利用者に応じたリコメンド情報を提供するために、利用者を正確に特定する必要がある。特に、ＳＴＢによりリコメンドサービスを提供するような場合には、ＳＴＢは、一般に、多くの利用者（家族）により共有されるため、利用者を正確に特定する必要がある。
【０００５】
ここで、ＳＴＢに対して信号を送信するユーザ端末として携帯電話を用いる場合を考える。携帯電話は、一般的には複数の利用者により共有されないため、ユーザ端末とＳＴＢの利用者とを紐づけることができ、ＳＴＢは、信号を送信したユーザ端末に紐づけられたＳＴＢの利用者に応じた、リコメンドサービスを提供することができる。
【０００６】
携帯電話をユーザ端末として用いる技術が、特許文献１ないし特許文献３に開示されている。
【０００７】
特許文献１（特開２０１０−７４２７２号公報）には、ユーザ端末からのアクセスが無線ＬＡＮ（Ｌｏｃａｌ  Ａｒｅａ  Ｎｅｔｗｏｒｋ）を介して行われているかにより、ユーザ端末を認証し、提供するコンテンツの制限を行う技術が開示されている。
【０００８】
特許文献２（特開２０１１−７１８８０号公報）には、無線ＬＡＮを用いて、ユーザ端末を認証する技術が開示されている。
【０００９】
特許文献３（特開２０１０−９３７２６号公報）には、Ｂｌｕｅｔｏｏｔｈ（登録商標）を用いて、ユーザ端末を認証する技術が開示されている。
【００１０】
上述したように、ユーザ端末とＳＴＢの利用者とは紐づけられるため、ＳＴＢは、認証したユーザ端末の所有者に応じたリコメンドサービスを提供する。
【先行技術文献】
【特許文献】
【００１１】
【特許文献１】特開２０１０−７４２７２号公報
【特許文献２】特開２０１１−７１８８０号公報
【特許文献３】特開２０１０−９３７２６号公報
【発明の概要】
【発明が解決しようとする課題】
【００１２】
特許文献１および特許文献２に開示の技術においては、無線ＬＡＮの通信可能な範囲は家庭内といった限られた範囲である。そのため、ユーザ端末とＳＴＢとが別の部屋に存在するような、実際にはユーザ端末とＳＴＢとが離れている場合にも、ＳＴＢは、そのユーザ端末の所有者に応じたリコメンドサービスを提供する。しかし、そのユーザ端末の所有者は、実際にはＳＴＢを利用していないため、ＳＴＢは、不要なリコメンドサービスを提供してしまう可能性があるという課題がある。
【００１３】
特許文献３に開示の技術においては、ＳＴＢとユーザ端末との間の通信に用いるＢｌｕｅｔｏｏｔｈの通信可能な範囲が狭いため、上述した課題は生じない。しかし、無線通信で用いられる電波の状況が悪い場合には、ユーザ端末とＳＴＢとの間の通信が途切れる場合がある。そのような場合には、ＳＴＢは、ユーザ端末の所有者を認証することができず、リコメンドサービスを提供できない可能性があるという課題が発生する。
【００１４】
本発明の目的は、簡単かつ確実に利用者を特定し、リコメンドサービスを提供することができる情報提供装置とその制御方法、情報提供システム、および、ユーザ端末を提供することにある。
【課題を解決するための手段】
【００１５】
本発明による情報提供装置は、
ユーザ端末とＮＦＣ規格に準拠した近距離無線通信を行い、前記ユーザ端末から前記ユーザ端末を識別する識別情報を受信するＮＦＣ通信部と、
前記ユーザ端末の識別情報と前記ユーザ端末の利用履歴とを対応して記憶する履歴保存部と、
前記受信した識別情報に対応して前記履歴保存部に記憶されている利用履歴に基づいてリコメンド情報を作成して出力する制御部と、を有する。
【００１６】
本発明による情報提供システムは、
ユーザ端末と、前記ユーザ端末とＮＦＣ通信を行う情報提供装置と、を備える情報提供システムであって、
前記ユーザ端末は、
前記情報提供装置とＮＦＣ規格に準拠した近距離無線通信を行う第１のＮＦＣ通信部と、
前記ユーザ端末を識別する識別情報と、前記ユーザ端末の利用履歴とを保存する端末データ保存部と、を有し、
前記情報提供装置は、
前記ユーザ端末とＮＦＣ規格に準拠した近距離無線通信を行い、前記ユーザ端末から前記識別情報を受信する第２のＮＦＣ通信部と、
前記ユーザ端末の識別情報と前記ユーザ端末の利用履歴とを対応して記憶する履歴保存部と、
前記受信した識別情報に対応して前記履歴保存部に記憶されている利用履歴に基づいてリコメンド情報を作成して出力する制御部と、を有する。
【００１７】
本発明による情報提供装置の制御方法は、
ユーザ端末とＮＦＣ規格に準拠した近距離無線通信を行い、前記ユーザ端末から前記ユーザ端末を識別する識別情報を受信するＮＦＣ通信部と、前記ユーザ端末を識別する識別情報と前記ユーザ端末の利用履歴とを対応して記憶する履歴保存部と、を有する情報提供装置の制御方法であって、
前記受信した識別情報に対応して前記履歴保存部に記憶されている利用履歴に基づいてリコメンド情報を作成して出力する。
【００１８】
本発明によるユーザ端末は、
利用履歴に基づいてリコメンド情報を作成して出力する情報提供装置と通信可能なユーザ端末であって、
前記情報提供装置とＮＦＣ規格に準拠した近距離無線通信を行うＮＦＣ通信部と、
前記ユーザ端末を識別する識別情報と前記ユーザ端末の利用履歴とを保存する端末データ保存部と、を有し、
前記端末データ保存部は、前記ＮＦＣ通信部を介して、前記識別情報と、前記利用履歴と、を前記情報提供装置に送信する。
【発明の効果】
【００１９】
本発明によれば、簡単かつ確実に情報提供装置の利用者を特定し、リコメンドサービスを提供することができる。
【図面の簡単な説明】
【００２０】
【図１】本発明の一実施形態の情報提供システムを示すブロック図である。
【図２】図１に示す情報提供システムにおける利用者の認証に用いる情報の登録動作を示すシーケンス図である。
【図３】図１に示す情報提供システムにおける利用者の認証動作を示すシーケンス図である。
【図４】図１に示す情報提供システムにおける複数の利用者の認証動作を示すシーケンス図である。
【図５】図１に示す情報提供システムにおける利用者の認証の解除動作を示すシーケンス図である。
【発明を実施するための形態】
【００２１】
以下に、本発明を実施するための形態について図面を参照して説明する。
【００２２】
図１は、本発明の一実施形態の情報提供システムを示すブロック図である。
【００２３】
図１に示す情報提供システム１００は、情報提供装置１１０と、ユーザ端末１２０と、表示装置１３０と、を有する。
【００２４】
情報提供装置１１０は、利用者を認証し、受信した放送信号に示されるコンテンツを認証した利用者に視聴させ、また、認証した利用者に応じたリコメンド情報を提供する装置である。情報提供装置１１０の一例として、ＳＴＢがある。
【００２５】
一般的に、情報提供装置の認証動作においては、利用者が、利用者識別情報（例えば、ＩＤ（ｉｄｅｎｔｉｆｉｃａｔｉｏｎ））およびパスワードを任意に設定し、情報提供装置は、利用者識別情報およびパスワードの組み合わせを用いて、利用者を認証する。本実施形態の情報提供システム１００は、利用者識別情報およびパスワードの組み合わせを用いて利用者を認証しないが、例えば、本実施形態の情報提供システム１００は、本実施形態の認証方法で認証した利用者に対してさらにパスワードを入力させることによって、利用者の認証時における安全性を高めることができる。
【００２６】
ユーザ端末１２０は、ユーザにより利用される端末である。携帯電話端末、スマートフォン、ノート型あるいはタブレット型のパーソナルコンピュータなどは、ユーザ端末の一例である。
【００２７】
表示装置１３０は、情報提供装置１１０と接続され、情報提供装置１１０から出力される情報などに従い、種々の画面などを表示する。
【００２８】
次に、情報提供装置１１０およびユーザ端末１２０の構成について説明する。なお、表示装置１３０は、一般的なディスプレイ装置などであるため、構成についての説明は省略する。
【００２９】
まず、ユーザ端末１２０の構成について説明する。
【００３０】
ユーザ端末１２０は、端末データ保存部１２１と、ＮＦＣ（Ｎｅａｒ  Ｆｉｅｌｄ  Ｃｏｍｍｕｎｉｃａｔｉｏｎ）通信部１２２とを有する。
【００３１】
端末データ保存部１２１は、ユーザ端末１２０を識別可能な端末識別情報（例えば、電話番号）や、ユーザ端末１２０の利用履歴などを保存する。例えば、端末データ保存部１２１は、ユーザ端末１２０の利用履歴として、ユーザ端末１２０を利用することによりユーザ端末１２０の所有者に提供されたコンテンツの名称を、番組表などに含まれるそのコンテンツの特徴を示すキーワードとともに保存している。
【００３２】
ＮＦＣ通信部１２２は、情報提供装置１１０と、ＮＦＣ規格に準拠した無線通信を行うブロックである。ＮＦＣ規格は、近距離無線通信の国際標準規格であり、１３．５６ＭＨｚ帯の周波数の微弱な電波を用いており、通信可能範囲がきわめて狭い（１０ｃｍ程度）という特徴を有する規格である。ＮＦＣ通信部１２２は、第１のＮＦＣ通信部の一例である。
【００３３】
次に、情報提供装置１１０の構成について説明する。
【００３４】
情報提供装置１１０は、ＮＦＣ通信部１１１と、データ変換部１１２と、制御部１１３と、履歴保存部１１４とを有する。
【００３５】
ＮＦＣ通信部１１１は、ユーザ端末１２０（ＮＦＣ通信部１２２）とＮＦＣ規格に準拠した無線通信を行うブロックである。ＮＦＣ通信部１１１は、第２のＮＦＣ通信部の一例である。
【００３６】
データ変換部１１２は、ユーザ端末１２０から受信した情報を情報提供装置１１０内の各ブロックが利用可能な形式に変換する。データ変換部１１２は、変換に用いる変換テーブル１１２１を有する。
【００３７】
制御部１１３は、リコメンド情報を作成するためのデータを格納するデータベース１１３１を備えている。例えば、データベース１１３１には、利用者に視聴させるコンテンツの特徴を示すキーワードと、それに対応するリコメンド情報が対応して、保存されている。
【００３８】
制御部１１３は、端末識別情報によりユーザ端末１２０の所有者を特定し、特定したユーザ端末１２０の利用履歴を用いてデータベース１１３１からリコメンド情報を抽出する。このようにして、制御部１１３は、ユーザ端末１２０の所有者の利用履歴に基づいたリコメンド情報を作成し、利用者に応じたリコメンド情報を示す画面などを表示装置１３０に出力させる。
【００３９】
また、制御部１１３は、利用者の様々な操作を受け付ける操作部１１３２を有する。
【００４０】
履歴保存部１１４は、利用者の識別情報と、その利用者によるユーザ端末１２０の利用履歴とを対応させて保存する。
【００４１】
次に、情報提供システム１００の動作を、図２および図３を用いて説明する。
【００４２】
図２は、図１に示す情報提供システム１００における利用者の認証に用いる情報の登録動作を示すシーケンス図である。
【００４３】
制御部１１３は、操作部１１３２を介して認証に用いる情報の登録を開始する旨が入力されると、利用者識別情報およびパスワードの登録画面を示す画像データを作成し、表示装置１３０に出力する（Ｓ２０１）。表示装置１３０は、画面データが入力されると、利用者識別情報およびパスワードの登録画面を表示する（Ｓ２０２）。
【００４４】
制御部１１３は、操作部１１３２を介して登録画面に応じた利用者から利用者識別情報およびパスワードの入力を受け付けると（Ｓ２０３）、利用者に対してＮＦＣ通信の開始を促す画面を示す画像データを作成し、表示部１３０に出力する。表示部１３０は、画面データが入力されると、利用者に対してＮＦＣ通信の開始を促す画面を表示する（Ｓ２０５）。
【００４５】
次に、制御部１１３は、入力された利用者識別情報およびパスワードを制御部１１３に出力する（Ｓ２０６）。
【００４６】
データ変換部１１２は、制御部１１３から入力された利用者識別情報およびパスワードを受け付けると、ユーザ端末１２０から端末識別情報の入力を待つ状態となる（Ｓ２０７）。
【００４７】
ＮＦＣ通信の開始を促す画面の表示に応じて利用者がユーザ端末１２０を情報提供装置１１０に近づけると、ＮＦＣ通信部１１１およびＮＦＣ通信部１２２は、ＮＦＣ通信を開始する（Ｓ２０８）。
【００４８】
ここで、ＮＦＣ通信部１１１およびＮＦＣ通信部１２２は、常にＮＦＣ通信に用いる微弱な電波を発信している。利用者がユーザ端末１２０を情報提供装置１１０に近づけ、ＮＦＣ通信部１１１とＮＦＣ通信部１２２との間の距離が対向するＮＦＣ通信部から発信される電波を受信可能な距離になると、ＮＦＣ通信が開始される。
【００４９】
また、利用者がユーザ端末１２０を情報提供装置１１０から離し、ＮＦＣ通信部１１１とＮＦＣ通信部１２２との間の距離が対向するＮＦＣ通信部から発信される電波を受信可能な距離より長くなると、ＮＦＣ通信は終了する。
【００５０】
ＮＦＣ通信が開始されると、端末データ保存部１２１は、ＮＦＣ通信部１２２、１１１を介して、端末識別情報をデータ変換部１１２に送信する（Ｓ２０９）。
【００５１】
データ変換部１１２は、ステップＳ２０６において入力された利用者識別情報およびパスワードとステップＳ２０９において受信した端末識別情報とを対応させて、変換テーブル１１２１に登録する（Ｓ２１０）。
【００５２】
表１は、変換テーブル１１２１の一例である。変換テーブル１１２１には、利用者識別情報、パスワードおよび端末識別情報が対応されて保存されている。
【００５３】
【表１】
2014175897.tif 000003
【００５４】
データ変換部１１２は、変換テーブル１１２１への、利用者識別情報、パスワードおよび端末識別情報の登録完了後、登録が完了した旨を制御部１１３に通知する（Ｓ２１１）。
【００５５】
制御部１１３は、データ変換部１１２から登録が完了した旨の通知を受けると、利用者識別情報、パスワードおよび端末識別情報の登録完了画面を示す画像データを作成し、表示装置１３０に出力する（Ｓ２１２）。表示装置１３０は、画像データが入力されると、利用者識別情報、パスワードおよび端末識別情報の登録完了画面を表示する（Ｓ２１３）。
【００５６】
次に、制御部１１３は、データ変換部１１２、ＮＦＣ通信部１１１、１２２を介して、端末識別情報の登録が完了した旨を示す登録完了通知を端末データ保存部１２１に送信する（Ｓ２１４）。
【００５７】
表示装置１３０に表示された登録完了画面の表示に応じて利用者がユーザ端末１２０を情報提供装置１１０から離すと、ＮＦＣ通信部１１１およびＮＦＣ通信部１２２は、ＮＦＣ通信を終了する（Ｓ２１５）。
【００５８】
図３は、図１に示す情報提供システム１００における利用者の認証動作を示すシーケンス図である。
【００５９】
利用者は、情報提供装置１１０において認証されることにより、表示装置１３０を用いてコンテンツを視聴することができる。
【００６０】
まず、認証動作を行う利用者がユーザ端末１２０を情報提供装置１１０に近づけると、ＮＦＣ通信部１１１およびＮＦＣ通信部１２２は、ＮＦＣ通信を開始する（Ｓ３０１）。
【００６１】
ＮＦＣ通信が開始されると、端末データ保存部１２１は、ＮＦＣ通信部１２２、１１１を介して、端末識別情報をデータ変換部１１２に送信する（Ｓ３０２）。
【００６２】
データ変換部１１２は、端末識別情報を受信すると、変換テーブル１１２１を参照し、受信した端末識別情報が変換テーブル１１２１に登録されているか否かを判定する。
【００６３】
受信した端末識別情報が変換テーブル１１２１に登録されていない場合には、データ変換部１１２は、例えば、端末識別情報の登録がされていない旨を示す通知を、ＮＦＣ通信部１１１、１２２を介してユーザ端末１２０に送信する。なお、以下では、受信した端末識別情報が変換テーブル１１２１に登録されているものとする。
【００６４】
受信した端末識別情報が変換テーブル１１２１に登録されている場合には、データ変換部１１２は、変換テーブル１１２１を参照して、受信した端末識別情報に対応する利用者識別情報を特定し（Ｓ３０３）、特定した利用者識別情報を制御部１１３に出力する（Ｓ３０４）。
【００６５】
制御部１１３は、利用者識別情報が入力されると、入力された利用者識別情報を記憶する（Ｓ３０５）とともに、記憶した利用者識別情報を履歴保存部１１４に出力する（Ｓ３０６）。
【００６６】
履歴保存部１１４は、入力された利用者識別情報に対応して保存している利用履歴を制御部１１３に出力する（Ｓ３０７）。ここで、利用者が初めて情報提供装置１１０を利用する場合には、履歴保存部１１４は、あらかじめ保存している一般的な利用者の利用履歴を出力し、利用者が過去において情報提供装置１１０を利用していた場合には、履歴保存部１１４は、前回の利用時に保存した利用履歴を出力する。
【００６７】
制御部１１３は、受信した利用履歴に基づいてリコメンド情報を作成し、そのリコメンド情報を表示装置１３０に出力する（Ｓ３０８）。表示装置１３０は、入力に応じて、利用者に応じたリコメンド情報を表示する（Ｓ３０９）。
【００６８】
次に、制御部１１３は、データ変換部１１２、ＮＦＣ通信部１１１、１２２を介して、ユーザ端末１２０の所有者の認証の完了通知を端末データ保存部１２１に送信する（Ｓ３１０）。
【００６９】
端末データ保存部１２１は、認証の完了通知を受信すると、ＮＦＣ通信部１２２、１１１を介して、ユーザ端末１２０の利用履歴をデータ変換部１１２に送信する（Ｓ３１１）。
【００７０】
データ変換部１１２は、ステップＳ３０３において特定した利用者識別情報と、ステップＳ３１１において受信した利用履歴とを対応させて履歴保存部１１４に出力する（Ｓ３１２）。履歴保存部１１４は、入力された利用者識別情報と利用履歴とを対応させて記憶し、利用履歴を更新する（Ｓ３１３）。
【００７１】
次に、データ変換部１１２は、利用履歴の保存が完了した旨を制御部１１３に通知する（Ｓ３１４）。
【００７２】
制御部１１３は、データ変換部１１２から利用履歴の保存が完了した旨の通知を受けると、ステップＳ３０５において記憶した利用者識別情報を、履歴保存部１１４に出力する（Ｓ３１５）。
【００７３】
履歴保存部１１４は、入力された利用者識別情報に対応して記憶している利用履歴を制御部１１３に出力する（Ｓ３１６）。
【００７４】
制御部１１３は、入力された利用履歴に基づいてリコメンド情報を新たに作成し、新たに作成したリコメンド情報を表示装置１３０に出力する（Ｓ３１７）。
【００７５】
表示装置１３０は、入力に応じて、ステップＳ３０９において表示したリコメンド情報を、新たに作成したリコメンド情報に変更して表示する（Ｓ３１８）。
【００７６】
次に、制御部１１３は、認証の完了画面を示す画像データを作成し、表示装置１３０に出力する（Ｓ３１９）。表示装置１３０は、画像データが入力されると、認証の完了画面を表示する（Ｓ３２０）。
【００７７】
表示装置１３０に表示された認証の完了画面に応じて利用者がユーザ端末１２０を情報提供装置１１０から離すと、ＮＦＣ通信部１１１およびＮＦＣ通信部１２２は、ＮＦＣ通信を終了する（Ｓ３２１）。
【００７８】
このように、本実施形態によれば、情報提供装置１１０は、ＮＦＣ通信により端末識別情報をユーザ端末１２０から取得し、取得した端末識別情報から変換テーブル１１２１を用いて利用者識別情報を特定し、その利用者識別情報に対応する利用履歴に基づいてリコメンド情報を作成し、利用者に応じたリコメンド情報を表示装置１３０に出力する。
【００７９】
一般に、ＮＦＣ通信の通信範囲は狭い。そのため、特許文献１および特許文献２に開示された技術のように、実際にはユーザ端末１２０が情報提供装置１１０と離れているにも関わらず、情報提供装置１１０がユーザ端末１２０の所有者を情報提供装置１１０の利用者として特定し、不要なリコメンドサービスを提供してしまう可能性が減る。また、ＮＦＣ通信は、伝送路が短く、伝送路における雑音の影響を受けにくい。そのため、特許文献３に開示された技術のように、電波状況が悪いために情報提供装置１１０が利用者を特定できず、リコメンドサービスを提供できない可能性が減る。そのため、情報提供装置１１０は、確実かつ簡単に利用者を特定し、リコメンドサービスを提供することができる。
【００８０】
なお、情報提供装置１１０がＳＴＢのような複数の利用者により共有される装置である場合には、複数の利用者により同時に利用されることがある。このような場合にも、本実施形態の情報提供システム１００によれば、複数の利用者それぞれ応じたリコメンド情報を提供することができる。以下では、複数の利用者それぞれに応じたリコメンド情報を提供する場合の情報提供システム１００の動作について、図４に示すシーケンス図を参照して説明する。
【００８１】
図４は、図１に示す情報提供システム１００において、複数の利用者の認証動作を示すシーケンス図である。なお、図４において、図３と同様の処理については同じ符号を付し、説明を省略する。
【００８２】
情報提供装置１１０は、すでに他の利用者を認証している。新たな利用者は、ユーザ端末１２０を用いて情報提供装置１１０に認証される。
【００８３】
まず、データ変換部１１２は、ステップＳ３０３において、ユーザ端末１２０から受信した端末識別情報に対応する利用者識別情報を特定すると、その利用者識別情報を制御部１１３に出力する（Ｓ４０１）。
【００８４】
制御部１１３は、入力された利用者識別情報を既に記憶しているか判定する。入力された利用者識別情報が新たな利用者に対応するもの（以下、新利用者識別情報と称する）であり、記憶していない場合には、制御部１１３は、新利用者識別情報を記憶する（Ｓ４０２）とともに、新利用者識別情報を履歴保存部１１４に出力する（Ｓ４０３）。
【００８５】
履歴保存部１１４は、入力された新利用者識別情報に対応して保存している利用履歴を制御部１１３に出力する（Ｓ４０４）。
【００８６】
制御部１１３は、履歴保存部１１４から入力された利用履歴に基づいてリコメンド情報を作成する。ここで、表示装置１４０は、すでに、他の利用者に応じたリコメンド情報を表示している。制御部１１３は、他の利用者に応じたリコメンド情報に加えて、作成したリコメンド情報を表示装置１４０に出力する（Ｓ４０５）。
【００８７】
表示装置１３０は、他の利用者に応じたリコメンド情報に加えて、新利用者識別情報に対応する利用者に応じたリコメンド情報を表示する（Ｓ４０６）。
【００８８】
制御部１１３は、ステップＳ３１４において、データ変換部１１２からユーザ端末１２０の利用履歴の保存が完了した旨の通知を受けると、ステップＳ４０２において記憶した新利用者識別情報を、履歴保存部１１４に出力する（Ｓ４０７）。
【００８９】
履歴保存部１１４は、入力された新利用者識別情報に対応して記憶している利用履歴を制御部１１３に出力する（Ｓ４０８）。
【００９０】
制御部１１３は、入力された新利用者識別情報に対応する利用履歴に基づいてリコメンド情報を新たに作成し、他の利用者に応じたリコメンド情報に加えて、新たに作成したリコメンド情報を表示装置１３０に出力する（Ｓ４０９）。
【００９１】
表示装置１３０は、他の利用者に応じたリコメンド情報に加えて、新利用者識別情報に対応する利用者に応じた、新たに作成したリコメンド情報を表示する（Ｓ４１０）。
【００９２】
このように、本実施形態の情報提供システム１００によれば、複数の利用者それぞれの嗜好に応じたリコメンド情報を提供することができる。
【００９３】
図３および図４においては、ユーザ端末１２０の所有者が、情報提供装置１１０によって認証され、情報提供装置１１０の利用を開始する動作について説明をした。以下では、ユーザ端末１２０の所有者が、情報提供装置１１０による認証が解除され、情報提供装置１１０の利用を終了する際の動作について、図５に示すシーケンス図を参照して説明する。なお、図５において、図３および図４と同様の処理については同じ符号を付し、説明を省略する。
【００９４】
情報提供装置１１０は、すでに利用者を認証しており、表示装置１３０は、その利用者に応じたリコメンド情報を表示している。利用者は、ユーザ端末１２０を用いて情報提供装置１１０の認証を解除する。
【００９５】
まず、制御部１１３は、ステップＳ４０１において利用者識別情報が入力されると、入力された利用者識別情報を既に記憶しているか判定する。入力された利用者識別情報を既に記憶している場合には、制御部１１３は、利用者識別情報の記憶を消去する（Ｓ５０１）。
【００９６】
制御部１１３は、入力された利用者識別情報に対応する利用者に応じたリコメンド情報の表示装置１３０への出力を停止する（Ｓ５０２）。
【００９７】
表示装置１３０は、制御部１１３からの出力が停止すると、その利用者識別情報に対応するリコメンド情報の表示を停止する（Ｓ５０３）。
【００９８】
次に、制御部１１３は、データ変換部１１２、ＮＦＣ通信部１１１、１２２を介して、ユーザ端末１２０の所有者の認証解除の完了通知を端末データ保存部１２１に送信し（Ｓ５０４）、認証解除の完了画面を示す画像データを表示装置１３０に出力する（Ｓ５０５）。表示装置１３０は、画像データが入力されると、認証解除の完了画面を表示する（Ｓ５０６）。
【００９９】
表示装置１３０に表示された認証解除の完了画面に応じて利用者がユーザ端末１２０を情報提供装置１１０から離すと、ＮＦＣ通信部１１１およびＮＦＣ通信部１２２は、ＮＦＣ通信を終了する（５０７）。
【０１００】
このように、本実施形態の情報提供システム１００によれば、ユーザ端末１００の所有者の認証を解除し、認証を解除したユーザ端末１００の所有者に応じたリコメンド情報の表示を停止することができる。
【０１０１】
なお、上述した実施形態においては、情報提供装置１１０に、端末識別情報と利用者識別情報とが対応付けられた変換テーブル１１２１を備えるデータ変換部１１２を設け、ユーザ端末１２０から送信されてきた端末識別情報を、その端末識別情報に対応する利用者識別情報に変換してから、その利用者識別情報に対応して保存している利用履歴に基づいて、ユーザ端末１２０の所有者に応じたリコメンド情報の作成を行う例を用いて説明したが、本発明はこれに限られるものではない。
【０１０２】
例えば、端末識別情報と利用履歴とを対応させて履歴保存部に保存し、ユーザ端末１２０から端末識別情報が送信されてくると、その端末識別情報に対応して保存している利用履歴に基づいて、ユーザ端末１２０の所有者に応じたリコメンド情報の作成を行うようにしてもよい。
【０１０３】
上記の実施形態の一部または全部は、以下の付記のようにも記載されうるが、以下には限られない。
（付記１）
ユーザ端末とＮＦＣ規格に準拠した近距離無線通信を行い、前記ユーザ端末から前記ユーザ端末を識別する識別情報を受信するＮＦＣ通信部と、
前記ユーザ端末の識別情報と前記ユーザ端末の利用履歴とを対応して記憶する履歴保存部と、
前記受信した識別情報に対応して前記履歴保存部に記憶されている利用履歴に基づいてリコメンド情報を作成して出力する制御部と、を有することを特徴とする情報提供装置。
（付記２）
付記１に記載の情報提供装置において、
前記ＮＦＣ通信部は、前記ユーザ端末から前記利用履歴を受信し、
前記履歴保存部は、前記受信した利用履歴を記憶することを特徴とする情報提供装置。
（付記３）
付記１または２に記載の情報提供装置において、
前記ＮＦＣ通信部は、複数の前記ユーザ端末から複数の前記識別情報を受信し、
前記制御部は、前記受信した複数の識別情報のそれぞれに対応して前記履歴保存部に記憶されている利用履歴に基づいてリコメンド情報を作成して出力することを特徴とする情報提供装置。
（付記４）
付記１から３のいずれか１つに記載の情報提供装置において、
前記ＮＦＣ通信部は、前記識別情報を受信し、
前記制御部は、すでに、前記受信した識別情報に対応して前記履歴保存部に記憶されている利用履歴に基づいてリコメンド情報を作成して出力している場合には、前記リコメンド情報の出力を停止することを特徴とする情報提供装置。
（付記５）
ユーザ端末と、前記ユーザ端末とＮＦＣ通信を行う情報提供装置と、を備える情報提供システムであって、
前記ユーザ端末は、
前記情報提供装置とＮＦＣ規格に準拠した近距離無線通信を行う第１のＮＦＣ通信部と、
前記ユーザ端末を識別する識別情報と、前記ユーザ端末の利用履歴とを保存する端末データ保存部と、を有し、
前記情報提供装置は、
前記ユーザ端末とＮＦＣ規格に準拠した近距離無線通信を行い、前記ユーザ端末から前記識別情報を受信する第２のＮＦＣ通信部と、
前記ユーザ端末の識別情報と前記ユーザ端末の利用履歴とを対応して記憶する履歴保存部と、
前記受信した識別情報に対応して前記履歴保存部に記憶されている利用履歴に基づいてリコメンド情報を作成して出力する制御部と、を有することを特徴とする情報提供システム。
（付記６）
ユーザ端末とＮＦＣ規格に準拠した近距離無線通信を行い、前記ユーザ端末から前記ユーザ端末を識別する識別情報を受信するＮＦＣ通信部と、前記ユーザ端末を識別する識別情報と前記ユーザ端末の利用履歴とを対応して記憶する履歴保存部と、を有する情報提供装置の制御方法であって、
前記受信した識別情報に対応して前記履歴保存部に記憶されている利用履歴に基づいてリコメンド情報を作成して出力することを特徴とする情報提供装置の制御方法。
（付記７）
利用履歴に基づいてリコメンド情報を作成して出力する情報提供装置と通信可能なユーザ端末であって、
前記情報提供装置とＮＦＣ規格に準拠した近距離無線通信を行うＮＦＣ通信部と、
前記ユーザ端末を識別する識別情報と前記ユーザ端末の利用履歴とを保存する端末データ保存部と、を有し、
前記端末データ保存部は、前記ＮＦＣ通信部を介して、前記識別情報と、前記利用履歴と、を前記情報提供装置に送信することを特徴とするユーザ端末。
【符号の説明】
【０１０４】
１００    情報提供システム
１１０    情報提供装置
１１１、１２２    ＮＦＣ通信部
１１２    データ変換部
１１２１    変換テーブル
１１３    制御部
１１３１    データベース
１１３２    操作部
１１４    履歴保存部
１２０    ユーザ端末
１２１    端末データ保存部
１３０    表示装置
【図１】
2014175897.tif 000004
【図２】
2014175897.tif 000005
【図３】
2014175897.tif 000006
【図４】
2014175897.tif 000007
【図５】
2014175897.tif 000008